(57)【特許請求の範囲】
【請求項１】
互いに異なる共振周波数が割り当てられ、当該共振周波数を具備するアンテナが形成されるアンテナ領域を複数有し、該複数のアンテナ領域のそれぞれにて所定の周波数範囲内における前記アンテナによる共振ピークの有無によって表現される個別ＩＤを用いてＩＤを識別可能とする識別体であって、
前記複数のアンテナ領域に形成されるアンテナのうち共振周波数が最も低いアンテナの共振周波数よりも低い共振周波数を有するアンテナが形成される第１の補助領域と、
前記複数のアンテナ領域に形成されるアンテナのうち共振周波数が最も高いアンテナの共振周波数よりも高い共振周波数を有するアンテナが形成される第２の補助領域との少なくとも一方を有し、
前記第１の補助領域は、前記複数のアンテナ領域のうち共振周波数が最も高いアンテナが形成されるアンテナ領域にて表現される個別ＩＤと同一の個別ＩＤを表現するようにアンテナが形成され、
前記第２の補助領域は、前記複数のアンテナ領域のうち共振周波数が最も低いアンテナが形成されるアンテナ領域にて表現される個別ＩＤと同一の個別ＩＤを表現するようにアンテナが形成され、
前記複数のアンテナ領域のうち少なくとも１つに、前記共振周波数の検出によって、他のアンテナ領域並びに前記第１及び第２の補助領域に形成されるアンテナと区別可能に構成された基準アンテナが形成されている、識別体。
【請求項２】
少なくとも２種類の共振周波数のいずれかが割り当てられ、当該共振周波数を具備するアンテナが形成されるアンテナ領域を複数有し、該複数のアンテナ領域のそれぞれにて所定の周波数範囲内における前記アンテナによる共振ピークの有無によって表現される個別ＩＤを用いてＩＤを識別可能とする識別体であって、
前記複数のアンテナ領域のうち同一の共振周波数が割り当てられたアンテナ領域には、偏波方向が互いに異なるアンテナが形成され、
前記複数のアンテナ領域に形成されるアンテナのうち共振周波数が最も低いアンテナの共振周波数よりも低い共振周波数を有するアンテナが形成される第１の補助領域と、
前記複数のアンテナ領域に形成されるアンテナのうち共振周波数が最も高いアンテナの共振周波数よりも高い共振周波数を有するアンテナが形成される第２の補助領域との少なくとも一方を有し、
前記第１の補助領域は、前記複数のアンテナ領域のうち共振周波数が最も高いアンテナが形成されるアンテナ領域にて表現される個別ＩＤと同一の個別ＩＤを表現するようにアンテナが形成され、該アンテナは、当該アンテナ領域に形成されたアンテナと同一の偏波方向を有し、
前記第２の補助領域は、前記複数のアンテナ領域のうち共振周波数が最も低いアンテナが形成されるアンテナ領域にて表現される個別ＩＤと同一の個別ＩＤを表現するようにアンテナが形成され、該アンテナは、当該アンテナ領域に形成されたアンテナと同一の偏波方向を有し、
前記複数のアンテナ領域のうち少なくとも１つに、前記共振周波数の検出によって、他のアンテナ領域並びに前記第１及び第２の補助領域に形成されるアンテナと区別可能に構成された基準アンテナが形成されている、識別体。
【請求項３】
請求項１または請求項２に記載の識別体において、
前記第１及び第２の補助領域は、共振周波数が互いに異なる複数のアンテナが形成されている、識別体。
【請求項４】
請求項１乃至３のいずれか１項に記載の識別体を用いて“１”と“０”とが前記個別ＩＤとして並べられてなるＩＤを生成するＩＤ生成方法であって、
前記複数のアンテナ領域に割り当てられた共振周波数を含む電磁波の前記アンテナにおける反射強度を検知することで前記アンテナの共振周波数を検出して該共振周波数の検出結果に基づいて前記アンテナによる共振ピークの有無を判断し、前記共振ピークの有無を“１”または“０”として所定順に並べる処理と、
前記基準アンテナの共振周波数が検出されたことによる“１”が所定の位置となるように個別ＩＤを並べ替える処理とを有するＩＤ生成方法。
【発明の詳細な説明】
【技術分野】
【０００１】
本発明は、共振周波数が異なる複数のアンテナの組み合わせでＩＤを識別可能とする識別体及びこれを用いたＩＤ生成方法に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、共振周波数が互いに異なる複数のアンテナを有し、ＩＣチップを用いずに複数のアンテナの組み合わせでＩＤを識別可能とするものも考えられている。例えば、複数のアンテナを構成する誘電子要素とコンデンサ要素の形状を異ならせたり、複数のアンテナの形状や向きを異ならせたりして共振周波数を複数のアンテナ毎に異ならせ、そのアンテナの組み合わせでＩＤを表現可能とする技術が、特許文献１，２に開示されている。この技術を用いれば、アンテナの数をＮ個とした場合、１つのアンテナの有無によって“１”，“０”の２つの情報を持たせることができ、また、全てのアンテナが無い場合を除いて、（２N−１）個のＩＤを識別可能に表現することができる。
【先行技術文献】
【特許文献】
【０００４】
【特許文献１】特公平７−８０３８６号公報
【特許文献２】特表２００８−５０３７５９号公報
【発明の概要】
【発明が解決しようとする課題】
【０００５】
ところで、上述したようなＲＦＩＤ技術を利用した識別体は、識別体を用いて管理される商品等に貼付された場合、商品等が誘電体で構成されていることにより、識別体の周波数特性がシフトすることになる。そのため、複数のアンテナの共振周波数が、予め設定された周波数に対してずれてしまい、ＩＤを正しく認識することができなくなってしまうという問題点がある。
【０００６】
例えば、共振周波数が互いに異なる複数のアンテナの組み合わせによって、“１１１１０１”というＩＤを表現している識別体において、識別体が商品等に貼付されることで複数のアンテナの共振周波数がそれぞれ低い周波数方向に個別ＩＤ１つ分シフトした場合、“１１１０１０”と誤認識され、また、低い周波数方向に個別ＩＤ２つ分シフトした場合、“１１０１００”と誤認識されてしまうこととなる。そのため、認識されたＩＤが、“１１０１００”であった場合、“＊＊１１０１”（＊は不明）というＩＤが低い周波数方向に個別ＩＤ２つ分シフトしたのか、“＊１１０１０”（＊は不明）というＩＤが低い周波数方向に個別ＩＤ１つ分シフトしたのか、“１１０１００”というＩＤがシフトしていないのか判断することができない。また、このようにアンテナの共振周波数が低い周波数方向にシフトした場合に限らず、高い周波数方向にシフトした場合においても、ＩＤを誤認識してしまうこととなり、いずれの場合においても、複数のアンテナの組み合わせによって表現されたＩＤを正しく認識することができなくなってしまう。
【０００７】
また、使用可能な周波数帯に対して狭い周波数帯のみを使用すれば、上述したようなＩＤの誤認識を回避することができるが、その場合、表現されるＩＤの数が減少してしまうこととなる。
【０００８】
本発明は、上述したような従来の技術が有する問題点に鑑みてなされたものであって、商品等の貼付物に貼付された場合においてもＩＤを正しく認識することができる識別体及びこれを用いたＩＤ生成方法を提供することを目的とする。
【課題を解決するための手段】
【０００９】
上記目的を達成するために本発明は、
互いに異なる共振周波数が割り当てられ、当該共振周波数を具備するアンテナが形成されるアンテナ領域を複数有し、該複数のアンテナ領域のそれぞれにて所定の周波数範囲内における前記アンテナによる共振ピークの有無によって表現される個別ＩＤを用いてＩＤを識別可能とする識別体であって、
前記複数のアンテナ領域に形成されるアンテナのうち共振周波数が最も低いアンテナの共振周波数よりも低い共振周波数を有するアンテナが形成される第１の補助領域と、
前記複数のアンテナ領域に形成されるアンテナのうち共振周波数が最も高いアンテナの共振周波数よりも高い共振周波数を有するアンテナが形成される第２の補助領域との少なくとも一方を有し、
前記第１の補助領域は、前記複数のアンテナ領域のうち共振周波数が最も高いアンテナが形成されるアンテナ領域にて表現される個別ＩＤと同一の個別ＩＤを表現するようにアンテナが形成され、
前記第２の補助領域は、前記複数のアンテナ領域のうち共振周波数が最も低いアンテナが形成されるアンテナ領域にて表現される個別ＩＤと同一の個別ＩＤを表現するようにアンテナが形成され、
前記複数のアンテナ領域のうち少なくとも１つに、前記共振周波数の検出によって、他のアンテナ領域並びに前記第１及び第２の補助領域に形成されるアンテナと区別可能に構成された基準アンテナが形成されている。
【００１０】
また、少なくとも２種類の共振周波数のいずれかが割り当てられ、当該共振周波数を具備するアンテナが形成されるアンテナ領域を複数有し、該複数のアンテナ領域のそれぞれにて所定の周波数範囲内における前記アンテナによる共振ピークの有無によって表現される個別ＩＤを用いてＩＤを識別可能とする識別体であって、
前記複数のアンテナ領域のうち同一の共振周波数が割り当てられたアンテナ領域には、偏波方向が互いに異なるアンテナが形成され、
前記複数のアンテナ領域に形成されるアンテナのうち共振周波数が最も低いアンテナの共振周波数よりも低い共振周波数を有するアンテナが形成される第１の補助領域と、
前記複数のアンテナ領域に形成されるアンテナのうち共振周波数が最も高いアンテナの共振周波数よりも高い共振周波数を有するアンテナが形成される第２の補助領域との少なくとも一方を有し、
前記第１の補助領域は、前記複数のアンテナ領域のうち共振周波数が最も高いアンテナが形成されるアンテナ領域にて表現される個別ＩＤと同一の個別ＩＤを表現するようにアンテナが形成され、該アンテナは、当該アンテナ領域に形成されたアンテナと同一の偏波方向を有し、
前記第２の補助領域は、前記複数のアンテナ領域のうち共振周波数が最も低いアンテナが形成されるアンテナ領域にて表現される個別ＩＤと同一の個別ＩＤを表現するようにアンテナが形成され、該アンテナは、当該アンテナ領域に形成されたアンテナと同一の偏波方向を有し、
前記複数のアンテナ領域のうち少なくとも１つに、前記共振周波数の検出によって、他のアンテナ領域並びに前記第１及び第２の補助領域に形成されるアンテナと区別可能に構成された基準アンテナが形成されている。
【００１１】
上記のように構成された本発明においては、商品等の貼付物に貼付されることにより、複数のアンテナ領域に形成されたアンテナの共振周波数がずれた場合、複数のアンテナ領域に割り当てられた共振周波数を含む電磁波が放射されると、第１の補助領域や第２の補助領域に形成されたアンテナの共振周波数も検出されることになる。この第１の補助領域は、複数のアンテナ領域のうちアンテナ領域に割り当てられた共振周波数が最も低いアンテナの共振周波数よりも低い共振周波数を有するアンテナが形成され、また、第２の補助領域は、複数のアンテナ領域のうちアンテナ領域に割り当てられた共振周波数が最も高いアンテナの共振周波数よりも高い共振周波数を有するアンテナが形成されることになる。そして、第１の補助領域においては、複数のアンテナ領域のうち共振周波数が最も高いアンテナが形成されるアンテナ領域にて表現される個別ＩＤと同一の個別ＩＤを表現するようにアンテナが形成され、また、第２の補助領域においては、複数のアンテナ領域のうち共振周波数が最も低いアンテナが形成されるアンテナ領域にて表現される個別ＩＤと同一の個別ＩＤを表現するようにアンテナが形成されることになるため、複数のアンテナ領域の全てについて、個別ＩＤに応じたアンテナの共振周波数による共振ピークの有無が検出されることとなる。ただし、そのままでは個別ＩＤの並び順が正しいものとなっていない。そこで、複数のアンテナ領域のうち少なくとも１つに、共振周波数の検出によって、他のアンテナ領域並びに第１及び第２の補助領域に形成されるアンテナと区別可能に構成された基準アンテナが形成されているので、この基準アンテナによる個別ＩＤが所定の位置となるように個別ＩＤを並べ替えることで、個別ＩＤの並び順が正しいものとなり、ＩＤが正しく認識されることとなる。
【００１２】
また、第１及び第２の補助領域に、共振周波数が互いに異なる複数のアンテナが形成されていれば、アンテナの共振周波数のずれが大きな場合でも、上述した方法によってＩＤを正しく認識することができる。
【発明の効果】
【００１３】
本発明によれば、商品等の貼付物に貼付されることにより、複数のアンテナ領域に形成されたアンテナの共振周波数がずれた場合、複数のアンテナ領域に割り当てられた共振周波数を含む電磁波が放射されると、第１の補助領域や第２の補助領域に形成されたアンテナの共振周波数も検出されることで、複数のアンテナ領域の全てについて、個別ＩＤに応じたアンテナの共振周波数よる共振ピークの有無が検出され、さらに、複数のアンテナ領域のうち少なくとも１つに形成された基準アンテナから読み取られた共振周波数による個別ＩＤが所定の位置となるように個別ＩＤが並べ替えられることで、個別ＩＤの並び順が正しいものとなり、それにより、商品等の貼付物に貼付された場合においてもＩＤを正しく認識することができる。
【００１４】
また、第１及び第２の補助領域に、共振周波数が互いに異なる複数のアンテナが形成されているものにおいては、アンテナの共振周波数のずれが大きな場合でも、上述した方法によってＩＤを正しく認識することができる。
【図面の簡単な説明】
【００１５】
【図１】本発明の識別体の実施の一形態を示す図であり、（ａ）は表面図、（ｂ）は（ａ）に示したＡ−Ａ’断面図である。
【図２】図１に示したＩＤタグを用いてＩＤを生成するＩＤ生成システムの一例を示す図である。
【図３】図１に示したＩＤタグからの反射波における反射強度を示す図である。
【図４】本発明の識別体の他の実施の形態を示す図であり、（ａ）は表面図、（ｂ）は（ａ）に示したＡ−Ａ’断面図、（ｃ）は反射波における反射強度を示す図である。
【図５】本発明の識別体の他の実施の形態を示す図であり、（ａ）は表面図、（ｂ）は（ａ）に示したＡ−Ａ’断面図、（ｃ）は反射波における反射強度を示す図である。
【図６】本発明の識別体の他の実施の形態を示す図であり、（ａ）は表面図、（ｂ）は（ａ）に示したＡ−Ａ’断面図、（ｃ）は反射波における反射強度を示す図である。
【図７】本発明の識別体の他の実施の形態を示す図である。
【図８】図７に示したＩＤタグからの反射波における反射強度を示す図である。
【図９】図１に示したＩＤタグを用いてＩＤを生成するＩＤ生成システムの他の例を示す図である。
【図１０】本発明の識別体の他の実施の形態を示す図であり、（ａ）は表面図、（ｂ）は（ａ）に示したＡ−Ａ’断面図である。
【図１１】本発明の識別体の他の実施の形態を示す図であり、（ａ）は表面図、（ｂ）は（ａ）に示したＡ−Ａ’断面図である。
【発明を実施するための形態】
【００１６】
以下に、本発明の実施の形態について図面を参照して説明する。
【００１７】
図１は、本発明の識別体の実施の一形態を示す図であり、（ａ）は表面図、（ｂ）は（ａ）に示したＡ−Ａ’断面図である。
【００１８】
本形態の識別体は図１に示すように、フィルムや紙等からなるベース基材１０上に５つのアンテナ領域２０ａ〜２０ｅ及び２つの補助領域３０ａ，３０ｂを有するＩＤタグ１である。
【００１９】
アンテナ領域２０ａ〜２０ｅは、互いに異なる共振周波数が割り当てられており、割り当てられた共振周波数を具備するアンテナが形成される。本形態においては、アンテナ領域２０ａには、７．０ＧＨｚの共振周波数が割り当てられており、７．０ＧＨｚの共振周波数を具備するアンテナ２１ａが形成されている。また、アンテナ領域２０ｂには、８．０ＧＨｚの共振周波数が割り当てられており、８．０ＧＨｚの共振周波数を具備するアンテナ２１ｂが形成されている。また、アンテナ領域２０ｃには、９．０ＧＨｚの共振周波数が割り当てられており、９．０ＧＨｚの共振周波数を具備するアンテナ２１ｃが形成されている。また、アンテナ領域２０ｄには、１０．０ＧＨｚの共振周波数が割り当てられているが、アンテナは形成されていない。また、アンテナ領域２０ｅには、１１．０ＧＨｚの共振周波数が割り当てられており、１１．０ＧＨｚの共振周波数を具備するアンテナ２１ｅが形成されている。このように、アンテナ領域２０ａ〜２０ｅには、所定の周波数間隔となる１ＧＨｚずつ隔てたアンテナが形成されることとなる。これらアンテナ領域２０ａ〜２０ｅに形成されるアンテナは、同一の幅を有し、その長手方向の長さが異なることで、互いに異なる共振周波数を有している。また、アンテナ領域２０ａ〜２０ｅのうち、アンテナ領域２０ａ，２０ｂ，２０ｄ，２０ｅに形成されるアンテナは、その長手方向が互いに同一方向となるのに対して、アンテナ領域２０ｃに形成されるアンテナは、その長手方向がこれらに対して直交しており、基準アンテナとなるものである。このように、アンテナ２０ａ，２０ｂ，２０ｄ，２０ｅに形成されるアンテナとアンテナ領域２０ｃに形成されるアンテナとは、長手方向が直交することにより、偏波方向が互いに異なっている。
【００２０】
補助領域３０ａは、本願における第１の補助領域となるものであって、アンテナ領域２０ａ〜２０ｅに形成されるアンテナのうちその共振周波数が最も低いアンテナの共振周波数よりも所定の周波数間隔だけ低い共振周波数を有するアンテナ３１ａが形成されている。具体的には、補助領域３０ａに形成されたアンテナ３１ａは、アンテナ領域２０ａ〜２０ｅに形成されるアンテナのうちその共振周波数が最も低いアンテナ２１ａの共振周波数である７．０ＧＨｚよりも１ＧＨｚだけ低い６．０ＧＨｚの共振周波数を有している。
【００２１】
補助領域３０ｂは、本願における第２の補助領域となるものであって、アンテナ領域２０ａ〜２０ｅに形成されるアンテナのうちその共振周波数が最も高いアンテナの共振周波数よりも所定の周波数間隔だけ高い共振周波数を有するアンテナ３１ｂが形成されている。具体的には、補助領域３０ｂに形成されたアンテナ３１ｂは、アンテナ領域２０ａ〜２０ｅに形成されるアンテナのうちその共振周波数が最も高いアンテナ２１ｅの共振周波数である１１．０ＧＨｚよりも１ＧＨｚだけ高い１２．０ＧＨｚの共振周波数を有している。
【００２２】
上記のように構成されたＩＤタグ１においては、アンテナ領域２０ａ〜２０ｅにアンテナが形成されているか否か、すなわち、アンテナ領域２０ａ〜２０ｅにおけるアンテナによる共振ピークの有無によって、アンテナ領域２０ａ〜２０ｅにおいて個別ＩＤが表現され、この個別ＩＤが、アンテナ領域２０ａ〜２０ｅの順序で並べられることでＩＤを識別可能とするが、補助領域３０ａにおいては、アンテナ領域２０ｅにて表現される個別ＩＤと同一の個別ＩＤが表現されるようにアンテナが形成されている。具体的には、アンテナ領域２０ｅにアンテナ２１ｅが形成されているため、補助領域３０ａにもアンテナ３１ａが形成されている。その逆に、アンテナ領域２０ｅにアンテナが形成されていなければ補助領域３０ａにもアンテナは形成されていないこととなる。また、補助領域３０ｂにおいては、アンテナ領域２０ａにて表現される個別ＩＤと同一の個別ＩＤが表現されるようにアンテナが形成されている。具体的には、アンテナ領域２０ａにアンテナ２１ａが形成されているため、補助領域３０ｂにもアンテナ３１ｂが形成されている。その逆に、アンテナ領域２０ａにアンテナが形成されていなければ補助領域３０ｂにもアンテナは形成されていないこととなる。
【００２３】
以下に、上記のように構成されたＩＤタグ１を用いたＩＤ生成方法について説明する。
【００２４】
図２は、図１に示したＩＤタグ１を用いてＩＤを生成するＩＤ生成システムの一例を示す図である。
【００２５】
本例におけるＩＤ生成システムは図２に示すように、図１に示したＩＤタグ１と、ＩＤタグ１を用いてＩＤを生成する読取器４０とから構成され、読取器４０は、送受信アンテナ４１と、電磁波放射部４２と、反射強度検知部４３と、ＩＤ生成部４４とを有している。
【００２６】
電磁波放射部４２は、アンテナ領域２０ａ〜２０ｅに形成されるアンテナの共振周波数を含む周波数帯をスイープしながら当該周波数帯の電磁波を送受信アンテナ４１を介して放射する。なお、電磁波放射部４２においては、アンテナ領域２０ａ〜２０ｅに形成されるアンテナの共振周波数を含む周波数帯をスイープするのではなく、アンテナ領域２０ａ〜２０ｅに形成されるアンテナの共振周波数の電磁波を同時に放射する構成としてもよい。すなわち、電磁波放射部４２は、アンテナ領域２０ａ〜２０ｅに形成されるアンテナの共振周波数を含む複数の周波数の電磁波を送受信アンテナ４１を介して放射するものである。
【００２７】
反射強度検知部４３は、電磁波放射部４２から放射された電磁波に対して送受信アンテナ４１を介して受信された反射波における反射強度を検知する。
【００２８】
ＩＤ生成部４４は、反射強度検知部４３にて検知された反射強度によってＩＤタグ１におけるアンテナの共振周波数を検出し、この共振周波数の検出結果に基づいて、共振周波数のそれぞれについてＩＤタグ１におけるアンテナによる共振ピークの有無を判断し、共振ピークが有ると判断された共振周波数について個別ＩＤを“１”とし、共振ピークが無いと判断された共振周波数について個別ＩＤを“０”とし、これら“１”と“０”とを共振周波数の順序で並べる。この際、図１に示したＩＤタグ１においては、基準アンテナとなるアンテナ２１ｃについては必ずその共振周波数が検出されるため、その共振周波数について個別ＩＤが“１”とされるが、ＩＤ生成部４４は、この基準アンテナによる“１”が所定の位置となるように、“１”と“０”とを並べ替える。
【００２９】
以下に、図２に示したＩＤ生成システムにおいて、図１に示したＩＤタグ１を用いてＩＤを生成する方法について具体的に説明する。
【００３０】
図３は、図１に示したＩＤタグ１からの反射波における反射強度を示す図である。なお、図３中、アンテナ領域２０ａ，２０ｂ，２０ｅにそれぞれ形成されたアンテナ２１ａ，２１ｂ，２１ｅによる反射強度を実線で示し、基準アンテナとなるアンテナ２１ｃによる反射強度を一点鎖線で示し、補助領域３０ａ，３０ｂにそれぞれ形成されたアンテナ３１ａ，３１ｂによる反射強度を二点鎖線で示す。
【００３１】
図１に示したＩＤタグ１においては、上述したように、アンテナ領域２０ａに７．０ＧＨｚの共振周波数を具備するアンテナ２１ａが形成されており、また、アンテナ領域２０ｂに８．０ＧＨｚの共振周波数を具備するアンテナ２１ｂが形成されており、また、アンテナ領域２０ｃに９．０ＧＨｚの共振周波数を具備するアンテナ２１ｃが形成されており、また、アンテナ領域２０ｅには１１．０ＧＨｚの共振周波数を具備するアンテナ２１ｅが形成されている。また、アンテナ領域２０ｄには、１０．０ＧＨｚの共振周波数が割り当てられているが、アンテナは形成されていない。さらに、補助領域３０ａに６．０ＧＨｚの共振周波数を具備するアンテナ３１ａが形成されており、補助領域３０ｂに１２．０ＧＨｚの共振周波数を具備するアンテナ３１ｂが形成されている。
【００３２】
そのため、電磁波放射部４２において、６．０ＧＨｚ〜１２．０ＧＨｚの周波数帯をスイープしながら当該周波数帯の電磁波が送受信アンテナ４１を介して放射されると、送受信アンテナ４１を介して反射強度検知部４３にて検知される反射波の反射強度は、図３（ａ）に示すように、６．０ＧＨｚ、７．０ＧＨｚ、８．０ＧＨｚ、９．０ＧＨｚ、１１．０ＧＨｚ及び１２．０ＧＨｚのそれぞれにて共振ピークを有するものとなる。そして、アンテナ領域２０ａ〜２０ｅに割り当てられた共振周波数を含む６．５ＧＨｚ〜１１．５ＧＨｚが実際の読取範囲であることから、ＩＤ生成部４４において、ＩＤタグ１には、７．０ＧＨｚ、８．０ＧＨｚ、９．０ＧＨｚ及び１１．０ＧＨｚの共振周波数を具備するアンテナが有り、１０．０ＧＨｚを具備するアンテナが無いと判断され、７．０ＧＨｚ、８．０ＧＨｚ、９．０ＧＨｚ、１０ＧＨｚ及び１１．０ＧＨｚの共振周波数において表現される個別ＩＤが“１”，“１”，“１”，“０”，“１”とされてこの順序に並べられてなるＩＤ“１１１０１”が生成される。なお、このうち、図３中一点鎖線で示す反射強度の共振ピークが９．０ＧＨｚの反射波においては、ＩＤタグ１のアンテナ２１ｃからの反射波であるため、送受信アンテナ４１の角度を９０度変えた際に検知されるものであり、それにより、図３中一点鎖線で示す反射強度の共振ピークが９．０ＧＨｚの反射波がＩＤタグ１の基準アンテナであるアンテナ２１ｃからの反射波であることが区別されることになる。なお、基準アンテナ２１ｃからの反射波を受信するためには、上述したように送受信アンテナ４１の角度を９０度変えることに限らず、例えば、アンテナ領域２０ａ，２０ｂ，２０ｄ，２０ｅに形成されるアンテナからの反射波を受信する送受信アンテナに対してその角度が９０度異なる別の送受信アンテナを用いてもよい。
【００３３】
ここで、ＩＤタグ１が商品等の貼付物に貼付されることにより、図３（ｂ）に示すようにＩＤタグ１のアンテナの周波数特性が低い周波数方向に１ＧＨｚずつシフトした場合、アンテナ２１ａ〜２１ｅのうちアンテナ２１ａからの反射波が読取範囲外となるが、その代わりに、アンテナ３１ｂからの反射波が読取範囲内となり、アンテナ２１ｂ，２１ｃ，２１ｅ，３１ｂによる反射強度の共振ピークが読取範囲に存在することとなる。
【００３４】
そのため、ＩＤ生成部４４において、ＩＤタグ１には、共振周波数が７．０ＧＨｚ、８．０ＧＨｚ、１０．０ＧＨｚ及び１１．０ＧＨｚとなったアンテナが有り、共振周波数が９．０ＧＨｚとなったアンテナが無いと判断され、まず、７．０ＧＨｚ、８．０ＧＨｚ、９．０ＧＨｚ、１０．０ＧＨｚ及び１１．０ＧＨｚの共振周波数において表現される個別ＩＤが“１”，“１”，“０”，“１”，“１”とされてこの順序に並べられてなるＩＤ“１１０１１”が生成される。
【００３５】
ところが、このままでは個別ＩＤの並び順が、図３（ａ）に示したものによるものとは異なり、正しいものとなっていない。
【００３６】
ここで、基準アンテナとなるアンテナ２１ｃからの反射波は、上述したように、送受信アンテナ４１の角度を９０度変えることで反射強度検知部４３にて検知されることで、ＩＤタグ１の他のアンテナとは区別可能となっている。また、基準アンテナとなるアンテナ２１ｃの共振周波数は、アンテナ領域２０ａ〜２０ｅにそれぞれ形成されるアンテナの共振周波数の中央の値となっている。
【００３７】
そこで、ＩＤ生成部４４において、“１１０１１”を構成する個別ＩＤとなる“１”と“０”とが、基準アンテナとなるアンテナ２１ｃの反射波の反射強度によって共振周波数が検出されたことによる個別ＩＤの“１”が、“１１０１１”の中央の位置となるように並べ替えられる。具体的には、図３（ｂ）に示すように、アンテナ２１ｃによる反射強度の共振ピークは読取範囲において低い共振周波数から２番目に存在している。そのため、読取範囲に存在する共振ピークのうち、その共振周波数が最も高いアンテナ３１ｂによる反射波の共振ピークによる“１”が、ＩＤ“１１０１１”の最上位桁に移動させられる。それにより、ＩＤ生成部４４において、ＩＤ“１１１０１”が生成されることとなる。
【００３８】
また、図３（ｃ）に示すようにＩＤタグ１のアンテナの周波数特性が高い周波数方向に１ＧＨｚずつシフトした場合、アンテナ２１ａ〜２１ｅのうちアンテナ２１ｅからの反射波が読取範囲外となるが、その代わりに、アンテナ３１ａからの反射波が読取範囲内となり、アンテナ２１ａ，２１ｂ，２１ｃ，３１ａによる反射強度の共振ピークが読取範囲に存在することとなる。
【００３９】
そのため、ＩＤ生成部４４において、ＩＤタグ１には、共振周波数が７．０ＧＨｚ、８．０ＧＨｚ、９．０ＧＨｚ及び１０．０ＧＨｚとなったアンテナが有り、共振周波数が１１．０ＧＨｚとなったアンテナが無いと判断され、まず、７．０ＧＨｚ、８．０ＧＨｚ、９．０ＧＨｚ、１０．０ＧＨｚ及び１１．０ＧＨｚの共振周波数において表現される個別ＩＤが“１”，“１”，“１”，“１”，“０”とされてこの順序に並べられてなるＩＤ“１１１１０”が生成される。
【００４０】
ところが、このままでは個別ＩＤの並び順が、図３（ａ）に示したものによるものとは異なり、正しいものとなっていない。
【００４１】
そこで、ＩＤ生成部４４において、“１１１１０”を構成する個別ＩＤとなる“１”と“０”とが、基準アンテナとなるアンテナ２１ｃの反射波の反射強度によって共振周波数が検出されたことによる個別ＩＤの“１”が、“１１１１０”の中央の位置となるように並べ替えられる。具体的には、図３（ｃ）に示すように、アンテナ２１ｃによる反射強度の共振ピークは読取範囲において高い共振周波数から２番目に存在している。そのため、読取範囲に存在する共振ピークのうち、その共振周波数が最も低いアンテナ３１ａによる反射波の共振ピークによる“１”が、ＩＤ“１１１１０”の最下位桁に移動させられる。それにより、ＩＤ生成部４４において、ＩＤ“１１１０１”が生成されることとなる。
【００４２】
このように、本形態においては、ＩＤタグ１のアンテナの共振周波数がずれた場合、ＩＤタグ１のアンテナ領域２０ａ〜２０ｅに割り当てられた共振周波数を含む電磁波が放射されると、補助領域３０ａ，３０ｂに形成され、アンテナ領域２０ａ〜２０ｅに形成されるアンテナの共振周波数の範囲外の共振周波数を具備するアンテナの共振周波数も検出されることになるが、補助領域３０ａには、共振周波数が最も高いアンテナ領域２０ｅに形成されるアンテナ２１ｅによる個別ＩＤ“１”を表現するためにアンテナ３１ａが形成され、また、補助領域３０ｂには、共振周波数が最も低いアンテナ領域２０ａに形成されるアンテナ２１ａによる個別ＩＤ“１”を表現するためにアンテナ３１ｂが形成されていることにより、アンテナ領域２０ａ〜２０ｅの全てについて、個別ＩＤに応じたアンテナによる共振ピークの有無が検出され、この共振ピークの有無に応じた個別ＩＤ“１”または“０”が並べられてなるＩＤが生成されることとなる。そして、共振周波数の検出の際に偏波方向が異なることによって他のアンテナと区別可能に構成されたアンテナ２１ｃが基準アンテナとなっているので、この基準アンテナによる個別ＩＤ“１”が、アンテナ２１ａ〜２１ｅにて共振周波数の順におけるアンテナ２１ｃの位置である中央の位置となるように、補助領域３０ａ，３０ｂに形成されたアンテナ３１ａ，３１ｂによる“１”がＩＤの上位桁から下位桁に、あるいは上位桁から下位桁に移動させられて“１”と“０”とが並べ替えられることで、個別ＩＤの並び順が正しいものとなり、ＩＤを正しく認識させることができるようになる。
【００４３】
（他の実施の形態）
図４は、本発明の識別体の他の実施の形態を示す図であり、（ａ）は表面図、（ｂ）は（ａ）に示したＡ−Ａ’断面図、（ｃ）は反射波における反射強度を示す図である。なお、図４（ｃ）中、アンテナ領域１２０ａ，１２０ｂ，１２０ｅにそれぞれ形成されたアンテナ１２１ａ，１２１ｂ，１２１ｅによる反射強度を実線で示し、基準アンテナとなるアンテナ１２１ｃによる反射強度を一点鎖線で示し、補助領域１３０ａ，１３０ｂにそれぞれ形成されたアンテナ１３１ａ，１３１ｂによる反射強度を二点鎖線で示す。
【００４４】
本形態は図４に示すように、図１に示したものに対して、基準アンテナとなるアンテナ１２１ｃの形状が異なるものである。本形態においては、アンテナ領域１２０ａ〜１２０ｅに形成されるアンテナの全てが、その長手方向が互いに同一方向となっているが、基準アンテナとなるアンテナ１２１ｃのみがその幅が他のアンテナよりも狭いものとなっている。それにより、図４（ｃ）に示すように、反射強度の共振ピークがアンテナ１２１ｃのみ弱いものとなっている。そのため、この共振ピークによってアンテナ１２１ｃによる個別ＩＤ“１”が識別され、図１に示したＩＤタグ１と同様に、この“１”が、アンテナ１２１ａ〜１２１ｅにて共振周波数の順におけるアンテナ１２１ｃの位置である中央の位置となるように、補助領域１３０ａ，１３０ｂに形成されたアンテナ１３１ａ，１３１ｂによる“１”がＩＤの上位桁から下位桁に、あるいは上位桁から下位桁に移動させられて“１”と“０”とが並べ替えられることで、個別ＩＤの並び順が正しいものとなり、ＩＤを正しく認識させることができるようになる。
【００４５】
図５は、本発明の識別体の他の実施の形態を示す図であり、（ａ）は表面図、（ｂ）は（ａ）に示したＡ−Ａ’断面図、（ｃ）は反射波における反射強度を示す図である。なお、図５（ｃ）中、アンテナ領域２２０ａ，２２０ｂ，２２０ｅにそれぞれ形成されたアンテナ２２１ａ，２２１ｂ，２２１ｅによる反射強度を実線で示し、基準アンテナとなるアンテナ２２１ｃによる反射強度を一点鎖線で示し、補助領域２３０ａ，２３０ｂにそれぞれ形成されたアンテナ２３１ａ，２３１ｂによる反射強度を二点鎖線で示す。
【００４６】
本形態は図５に示すように、図１に示したものに対して、アンテナ２２１ａ〜２２１ｃ，２２１ｅ，２３１ａ，２３１ｂがスリット入りの形状を有するとともに、基準アンテナとなるアンテナ２２１ｃの外形形状が異なるものである。本形態においては、アンテナ領域２２０ａ〜２２０ｅに形成されるアンテナの全てが、スリット入りとなってその長手方向が互いに同一方向となっているが、基準アンテナとなるアンテナ２２１ｃのみがその幅が他のアンテナよりも広いものとなっている。それにより、図５（ｃ）に示すように、反射強度のピークのシャープさがアンテナ２２１ｃのみ鈍いものとなっている。そのため、このシャープさによってアンテナ２２１ｃによる個別ＩＤ“１”が識別され、図１に示したＩＤタグ１と同様に、この“１”が、アンテナ２２１ａ〜２２１ｅにて共振周波数の順におけるアンテナ２２１ｃの位置である中央の位置となるように、補助領域２３０ａ，２３０ｂに形成されたアンテナ２３１ａ，２３１ｂによる“１”がＩＤの上位桁から下位桁に、あるいは上位桁から下位桁に移動させられて“１”と“０”とが並べ替えられることで、個別ＩＤの並び順が正しいものとなり、ＩＤを正しく認識させることができるようになる。
【００４７】
図６は、本発明の識別体の他の実施の形態を示す図であり、（ａ）は表面図、（ｂ）は（ａ）に示したＡ−Ａ’断面図、（ｃ）は反射波における反射強度を示す図である。なお、図５（ｃ）中、アンテナ領域３２０ａ，３２０ｂ，３２０ｆにそれぞれ形成されたアンテナ３２１ａ，３２１ｂ，３２１ｆによる反射強度を実線で示し、基準アンテナとなるアンテナ３２１ｃ，３２１ｄによる反射強度を一点鎖線で示し、補助領域３３０ａ，３３０ｂにそれぞれ形成されたアンテナ３３１ａ，３３１ｂによる反射強度を二点鎖線で示す。
【００４８】
本形態は図６に示すように、図１に示したものに対して、２つのアンテナ３２１ｃ，３２１ｄが基準アンテナとなり、このアンテナ３２１ｃ，３２１ｄどうしの共振周波数の間隔、及び隣接するアンテナ領域３２０ｂ，３２０ｅに形成されるアンテナとの共振周波数の間隔が、他のアンテナの共振周波数どうしの間隔よりも狭くなっている点が異なるものである。それにより、図６（ｃ）に示すように、アンテナ３２１ｃ，３２１ｄによる個別ＩＤ“１”が他のアンテナによる個別ＩＤ“１”とは区別して認識可能となり、図１に示したＩＤタグ１と同様に、この“１”が、アンテナ３２１ａ〜３２１ｅにて共振周波数の順におけるアンテナ３２１ｃの位置である中央の位置となるように、補助領域３３０ａ，３３０ｂに形成されたアンテナ３３１ａ，３３１ｂによる“１”がＩＤの上位桁から下位桁に、あるいは上位桁から下位桁に移動させられて“１”と“０”とが並べ替えられることで、個別ＩＤの並び順が正しいものとなり、ＩＤを正しく認識させることができるようになる。
【００４９】
なお、上記のように２つのアンテナ３２１ｃ，３２１ｄを基準アンテナとしてこのアンテナ３２１ｃ，３２１ｄどうしの共振周波数の間隔、及び隣接するアンテナ領域３２０ｂ，３２０ｅに形成されるアンテナとの共振周波数の間隔を、他のアンテナの共振周波数どうしの間隔よりも狭くするのではなく、１つのアンテナを基準アンテナとし、このアンテナに隣接するアンテナ領域に形成されるアンテナとの共振周波数の間隔を、他のアンテナの共振周波数どうしの間隔よりも狭くしても、その間隔の違いから基準アンテナを識別することができる。また、共振周波数の間隔を狭くするのではなく広くしても、上記同様の効果を奏する。
【００５０】
なお、上述した実施の形態においては、アンテナ領域に形成されるアンテナのうちその共振周波数が最も低いアンテナの共振周波数よりも、アンテナ領域に形成されるアンテナの共振周波数の間隔だけ低い共振周波数を有するアンテナが形成された第１の補助領域と、アンテナ領域に形成されるアンテナのうちその共振周波数が最も高いアンテナの共振周波数よりも、アンテナ領域に形成されるアンテナの共振周波数の間隔だけ高い共振周波数を有するアンテナが形成された第２の補助領域を有する構成を例に挙げて説明したが、第１の補助領域において、共振周波数が最も低いアンテナの共振周波数から、アンテナ領域に形成されるアンテナの共振周波数の間隔だけ互いに隔てた共振周波数を有する複数のアンテナが形成されており、また、第２の補助領域において、共振周波数が最も高いアンテナの共振周波数から、アンテナ領域に形成されるアンテナの共振周波数の間隔だけ互いに隔てた共振周波数を有する複数のアンテナが形成されている構成であってもよい。その場合、第１の補助領域においては、複数のアンテナ領域のうちそのアンテナ領域に割り当てられた共振周波数が高い方から、補助領域に形成されたアンテナの数分のアンテナ領域にて表現される個別ＩＤと同一の個別ＩＤを表現するようにアンテナが形成され、また、第２の補助領域においては、複数のアンテナ領域のうちそのアンテナ領域に割り当てられた共振周波数が低い方から、補助領域に形成されたアンテナの数分のアンテナ領域にて表現される個別ＩＤと同一の個別ＩＤを表現するようにアンテナが形成されることになる。例えば、第１及び第２の補助領域のそれぞれに２つずつのアンテナが形成される場合、第１の補助領域においては、複数のアンテナ領域のうちアンテナの共振周波数が高い方から２つのアンテナ領域のいずれにもアンテナが形成されていれば２つのアンテナが形成され、２つのアンテナ領域のうち共振周波数が高い方のアンテナのみが形成されている場合は、第１の補助領域に形成される２つのアンテナのうち共振周波数が高いアンテナのみが形成されることとなる。また、第２の補助領域においては、複数のアンテナ領域のうちアンテナの共振周波数が低い方から２つのアンテナ領域のいずれにもアンテナが形成されていれば２つのアンテナが形成され、２つのアンテナ領域のうち共振周波数が低い方のアンテナのみが形成されている場合は、第２の補助領域に形成される２つのアンテナのうち共振周波数が低いアンテナのみが形成されることとなる。
【００５１】
また、個別ＩＤとなる“１”と“０”との並び順は、上述したように共振周波数の昇順に限らず降順であってもよい。
【００５２】
図７は、本発明の識別体の他の実施の形態を示す図である。
【００５３】
本形態の識別体は図７に示すように、フィルムや紙等からなるベース基材４１０上に５つのアンテナ領域４２０ａ〜４２０ｅ及び２つの補助領域４３０ａ，４３０ｂを有するＩＤタグ４０１である。
【００５４】
アンテナ領域４２０ａ，４２０ｄとアンテナ領域４２０ｂとアンテナ領域４２０ｃ，４２０ｅとは、互いに異なる共振周波数が割り当てられており、割り当てられた共振周波数を具備するアンテナが形成される。本形態においては、アンテナ領域４２０ａ，４２０ｄにはそれぞれ、７．０ＧＨｚの共振周波数が割り当てられており、７．０ＧＨｚの共振周波数を具備するアンテナ４２１ａ，４２１ｄが形成されている。また、アンテナ領域４２０ｂには、８．０ＧＨｚの共振周波数が割り当てられており、８．０ＧＨｚの共振周波数を具備するアンテナ４２１ｂが形成されている。また、アンテナ領域４２０ｃ，４２０ｅにはそれぞれ、９．０ＧＨｚの共振周波数が割り当てられており、９．０ＧＨｚの共振周波数を具備するアンテナ４２１ｃ，４２１ｅが形成されている。このように、アンテナ領域４２０ａ，４２０ｄとアンテナ領域４２０ｂとアンテナ領域４２０ｃ，４２０ｅでは、所定の周波数間隔となる１ＧＨｚずつ隔てたアンテナが形成されている。これらアンテナ領域４２０ａ，４２０ｄとアンテナ領域４２０ｂとアンテナ領域４２０ｃ，４２０ｅとにそれぞれ形成されるアンテナは、同一の幅を有し、その長手方向の長さが異なることで、互いに異なる共振周波数を有している。また、アンテナ領域４２０ａに形成されるアンテナ４２１ａとアンテナ領域４２０ｄに形成されるアンテナ４２１ｄとは、長手方向の長さ及びその幅が同一であることで共振周波数が互いに等しいものの、長手方向が互いに直交することで偏波方向が互いに異なっている。また、アンテナ領域４２０ｃに形成されるアンテナ４２１ｃとアンテナ領域４２０ｅに形成されるアンテナ４２１ｅとは、長手方向の長さ及びその幅が同一であることで共振周波数が互いに等しいものの、長手方向が互いに直交することで偏波方向が互いに異なっている。また、アンテナ領域４２０ｂに形成されたアンテナ４２１ｂは、アンテナ領域４２０ａ〜４２０ｅに形成されたアンテナ４２０ａ〜４２０ｅに対してその長手方向が異なる方向を向いており、基準アンテナとなるものである。
【００５５】
補助領域４３０ａは、本願における第１の補助領域となるものであって、アンテナ領域４２０ａ〜４２０ｅに形成されたアンテナ４２１ａ〜４２１ｅのうちその共振周波数が最も低いアンテナ４２１ａ，４２１ｄの共振周波数よりも、アンテナ４２１ａ，４２１ｄとアンテナ４２１ｂとアンテナ４２１ｃ，４２１ｅとの共振周波数の間隔だけ低い共振周波数を有するアンテナ４３１ａ，４３１ｃが形成されている。具体的には、補助領域４３０ａに形成されたアンテナ４３１ａ，４３１ｃは、アンテナ領域４２０ａ〜４２０ｅに形成されたアンテナ４２１ａ〜４２１ｅのうちその共振周波数が最も低いアンテナ４２１ａ，４２１ｄの共振周波数である７．０ＧＨｚよりも１ＧＨｚだけ低い６．０ＧＨｚの共振周波数を有している。また、補助領域４３０ａに形成されたアンテナ４３１ａとアンテナ４３１ｃとは、長手方向の長さ及びその幅が同一であることで共振周波数が互いに等しいものの、長手方向が互いに直交することで偏波方向が互いに異なっている。
【００５６】
補助領域４３０ｂは、本願における第２の補助領域となるものであって、アンテナ領域４２０ａ〜４２０ｅに形成されたアンテナ４２１ａ〜４２１ｅのうちその共振周波数が最も高いアンテナ４２１ｃ，４２１ｅの共振周波数よりも、アンテナ４２１ａ，４２１ｄとアンテナ４２１ｂとアンテナ４２１ｃ，４２１ｅとの共振周波数の間隔だけ高い共振周波数を有するアンテナ４３１ｂ，４３１ｄが形成されている。具体的には、補助領域４３０ｂに形成されたアンテナ４３１ｂ，４３１ｄは、アンテナ領域４２０ａ〜４２０ｅに形成されたアンテナ４２１ａ〜４２１ｅのうちその共振周波数が最も高いアンテナ４２１ｃ，４２１ｅの共振周波数である９．０ＧＨｚよりも１ＧＨｚだけ高い１０．０ＧＨｚの共振周波数を有している。また、補助領域４３０ｂに形成されたアンテナ４３１ｂとアンテナ４３１ｄとは、長手方向の長さ及びその幅が同一であることで共振周波数が互いに等しいものの、長手方向が互いに直交することで偏波方向が互いに異なっている。
【００５７】
上記のように構成されたＩＤタグ１においては、共振周波数のみではなく、偏波方向による所定順に個別ＩＤとなる“１”と“０”とを並べることでＩＤを生成することができる。
【００５８】
図８は、図７に示したＩＤタグ４０１からの反射波における反射強度を示す図である。なお、図８中、アンテナ領域４２０ａ，４２０ｃ，４２０ｄ，４２０ｅにそれぞれ形成されたアンテナ４２１ａ，４２１ｃ，４２１ｄ，４２１ｅによる反射強度を実線で示し、基準アンテナとなるアンテナ４２１ｂによる反射強度を一点鎖線で示し、補助領域４３０ａ，４３０ｂにそれぞれ形成されたアンテナ４３１ａ，４３１ｂ，４３１ｃ，４３１ｄによる反射強度を二点鎖線で示す。
【００５９】
本形態においては、アンテナ領域４２０ａ，４２０ｃにそれぞれ形成されたアンテナ４２１ａ，４２１ｃ及び補助領域４３０ａ，４３０ｂに形成されたアンテナ４３１ａ，４３１ｂの偏波方向において上記同様にして電磁波を放射することで共振周波数を検出すると、図８（ａ）に示すように、アンテナ４３１ａによる６．０ＧＨｚに共振ピークを有する反射強度と、アンテナ４２１ａによる７．０ＧＨｚに共振ピークを有する反射強度と、アンテナ４２１ｃによる９．０ＧＨｚに共振ピークを有する反射強度と、アンテナ４３１ｂによる１０．０ＧＨｚに共振ピークを有する反射強度とが得られる。また、アンテナ領域４２０ｄ，４２０ｅにそれぞれ形成されたアンテナ４２１ｄ，４２１ｅ及び補助領域４３０ａ，４３０ｂに形成されたアンテナ４３１ｃ，４３１ｄの偏波方向において上記同様にして電磁波を放射することで共振周波数を検出すると、図８（ｂ）に示すように、アンテナ４３１ｃによる６．０ＧＨｚに共振ピークを有する反射強度と、アンテナ４２１ｄによる７．０ＧＨｚに共振ピークを有する反射強度と、アンテナ４２１ｅによる９．０ＧＨｚに共振ピークを有する反射強度と、アンテナ４３１ｄによる１０．０ＧＨｚに共振ピークを有する反射強度とが得られる。
【００６０】
ここで、アンテナ４２１ａの共振周波数とアンテナ４２１ｄの共振周波数とは互いに同一であるものの、偏波方向が互いに異なるため、偏波方向に所定順となる優先順位を付与することで、同一の共振周波数についても“１”，“０”を優先順位に応じた順番で並べることで、ＩＤを構成することができる。また、アンテナ４２１ｃの共振周波数とアンテナ４２１ｅの共振周波数とは互いに同一であるものの、偏波方向が互いに異なるため、偏波方向に所定順となる優先順位を付与することで、同一の共振周波数についても“１”，“０”を優先順位に応じた順番で並べることで、ＩＤを構成することができる。
【００６１】
このようにして、共振周波数が同一のアンテナを複数有する場合は、その偏波方向を変えることで、個別ＩＤである“１”，“０”を用いてＩＤを構成することができる。その際、補助領域４３０ａ，４３０ｄに形成されるアンテナ４３１ａ，４３１ｂ，４３１ｃ，４３１ｄについても、共振周波数が同一のものがあっても、その偏波方向を変えて優先順位を付与することで、共振周波数がずれた場合にいずれのアンテナによる共振ピークの有無による“１”または“０”をＩＤを構成する個別ＩＤとして用いるかを設定することができる。
【００６２】
図９は、図１に示したＩＤタグ１を用いてＩＤを生成するＩＤ生成システムの他の例を示す図である。
【００６３】
本例におけるＩＤ生成システムは図９に示すように、図１に示したＩＤタグ１と、ＩＤタグ１を用いてＩＤを生成する読取器１４０とから構成され、読取器１４０は、送受信送信アンテナ１４１ａと、受信アンテナ１４１ｂと、電磁波放射部１４２と、反射強度検知部１４３と、制御部１４４とを有している。
【００６４】
電磁波放射部１４２は、アンテナ領域２０ａ〜２０ｅに形成されるアンテナの共振周波数を含む複数の周波数の電磁波を送信アンテナ１４１ａを介して放射する。
【００６５】
反射強度検知部１４３は、電磁波放射部１４２から放射された電磁波に対して受信アンテナ１４１ｂを介して受信された反射波における反射強度を検知する。
【００６６】
制御部１４４は、電磁波放射部１４２から放射する電磁波の周波数帯を制御するとともに、反射強度検知部１４３にて検知された反射強度によってＩＤタグ１におけるアンテナの共振周波数を検出し、この共振周波数の検出結果に基づいて、共振周波数のそれぞれについてＩＤタグ１におけるアンテナにおける共振ピークの有無を判断し、共振ピークが有ると判断された共振周波数について個別ＩＤを“１”とし、共振ピークが無いと判断された共振周波数について個別ＩＤを“０”とし、これら“１”と“０”とを共振周波数の順序で並べる。この際、図１に示したＩＤタグ１においては、基準アンテナとなるアンテナ２１ｃについては必ずその共振周波数が検出されるため、その共振周波数について個別ＩＤが“１”とされるが、ＩＤ生成部４４は、この基準アンテナによる“１”が所定の位置となるように、“１”と“０”とを並べ替える。
【００６７】
上記のように構成されたＩＤ生成システムを用いても、上述した実施の形態にて示したＩＤタグのＩＤを生成することができる。
【００６８】
なお、基準アンテナの設定は、上述したように、アンテナ領域に形成されるアンテナの共振周波数の中央の値となるように設定するものに限らないが、アンテナ領域に形成されるアンテナの共振周波数の中央の値となるように設定した方が好ましい。また、基準アンテナによる反射強度の共振ピークを他のアンテナと区別可能とするためには、上述したものの他、反射強度の向きを反対の向きとしてもよい。
【００６９】
また、上述した実施の形態においては、アンテナ領域のそれぞれにおいて、アンテナが形成されているか否かによってアンテナによる共振ピークの有無が設定され、この共振ピークの有無に応じて個別ＩＤ“０”，“１”が生成されているが、本発明においては、図２に示した読取器４０にて設定された周波数範囲内におけるアンテナによる共振ピークの有無に応じて個別ＩＤ“０”，“１”を生成するものであればよい。例えば、個別ＩＤを“１”とするアンテナ領域においては、そのアンテナ領域に割り当てられる共振周波数を有するコの字型のアンテナを形成し、個別ＩＤを“０”とするアンテナ領域においては、ロの字型であることでその共振周波数による共振ピークが、設定された周波数範囲外となるアンテナを形成しておくことでもよい。すなわち、本発明においては、アンテナ領域には、所定の周波数範囲内におけるアンテナによる共振ピークの有無によって個別ＩＤが表現されている。
【００７０】
また、上述した実施の形態においては、アンテナ領域に割り当てられた共振周波数が一定間隔であるものを例に挙げて説明したが、本発明はこれに限らず、共振周波数が、５．０ＧＨｚ、５．１ＧＨｚ、５．３ＧＨｚ、５．６ＧＨｚ、６．０ＧＨｚ、６．５ＧＨｚ、７．１ＧＨｚというように、その間隔が、０．１ＧＨｚ、０．２ＧＨｚ、０．３ＧＨｚ、０．４ＧＨｚ、０．５ＧＨｚ、０．６ＧＨｚと徐々に広がっていくものや、５．０ＧＨｚ、５．２５ＧＨｚ、５．５１ＧＨｚ、５．７９ＧＨｚ、６．０８ＧＨｚというように、１つ前の共振周波数の１．０５倍となるもの等、所定の規則に応じて周波数間隔を隔てて共振周波数が設定されていればよい。
【００７１】
また、第１の補助領域となるアンテナ領域と、第２の補助領域となるアンテナ領域とは、ＩＤタグの周波数特性のシフト方向が、高周波数側と低周波数側のいずれか一方である場合は、そのシフトする周波数側のみに応じて設けておけばよい。例えば、ＩＤタグの周波数特性が高周波数側にのみシフトするものにおいては、複数のアンテナ領域に形成されるアンテナのうち共振周波数が最も低いアンテナの共振周波数よりも低い共振周波数を有するアンテナ、または共振周波数が最も低いアンテナの共振周波数から互いに所定の周波数間隔を隔てた共振周波数を有する複数のアンテナが形成される第１の補助領域のみを設ければよく、また、ＩＤタグの周波数特性が低周波数側にのみシフトするものにおいては、複数のアンテナ領域に形成されるアンテナのうち共振周波数が最も高いアンテナの共振周波数よりも高い共振周波数を有するアンテナ、または共振周波数が最も高いアンテナの共振周波数から互いに所定の周波数間隔を隔てた共振周波数を有する複数のアンテナが形成される第２の補助領域のみを設ければよい。
【００７２】
図１０は、本発明の識別体の他の実施の形態を示す図であり、（ａ）は表面図、（ｂ）は（ａ）に示したＡ−Ａ’断面図である。
【００７３】
本形態は図１０に示すように、図１に示したものに対して、基準アンテナ５２１ｃが形成されるアンテナ領域５２０ｃ以外のアンテナ領域５２０ａ，５２０ｂ，５２０ｄ，５２０ｅ及び補助領域５３０ａ，５３０ｂの並び順が異なるものである。
【００７４】
本形態においては、８．０ＧＨｚの共振周波数が割り当てられたアンテナ領域５２０ｂが図中最も左側に配置され、アンテナ領域５２０ｂの図中右側に、１０．０ＧＨｚの共振周波数が割り当てられたアンテナ領域５２０ｄが隣接して配置され、アンテナ領域５２０ｄの図中右側に、７．０ＧＨｚの共振周波数が割り当てられたアンテナ領域５２０ａが隣接して配置され、アンテナ領域５２０ａの図中右側に、１１．０ＧＨｚの共振周波数が割り当てられたアンテナ領域５２０ｅが隣接して配置され、アンテナ領域５２０ｅの図中右側に、６．０ＧＨｚの共振周波数が割り当てられた補助領域５３０ａが隣接して配置され、補助領域５３０ａの図中右側に、１２．０ＧＨｚの共振周波数が割り当てられた補助領域５３０ｂが隣接して配置されている。そして、図１に示したものと同様に、アンテナ領域５２０ａには、７．０ＧＨｚの共振周波数を具備するアンテナ５２１ａが形成され、アンテナ領域５２０ｂには、８．０ＧＨｚの共振周波数を具備するアンテナ５２１ｂが形成され、アンテナ領域５２０ｃには、９．０ＧＨｚの共振周波数を具備するアンテナ５２１ｃが基準アンテナとして形成され、アンテナ領域５２０ｄにはアンテナが形成されておらず、アンテナ領域５２０ｅには、１１．０ＧＨｚの共振周波数を具備するアンテナ５２１ｅが形成され、補助領域５３０ａには、６．０ＧＨｚの共振周波数を具備するアンテナ５３１ａが形成され、補助領域５３０ｂには、１２．０ＧＨｚの共振周波数を具備するアンテナ５３１ｂが形成されている。
【００７５】
このように、アンテナ領域５２０ａ，５２０ｂ，５２０ｄ，５２０ｅ及び補助領域５３０ａ，５３０ｂの並び順が、アンテナ領域５２０ａ，５２０ｂ，５２０ｄ，５２０ｅ及び補助領域５３０ａ，５３０ｂにそれぞれ割り当てられた共振周波数の昇順や降順でなくても、検出された共振ピークの有無を共振周波数の昇順や降順に並べることで、ＩＤタグ５０１に付与されたＩＤを識別することができる。
【００７６】
図１１は、本発明の識別体の他の実施の形態を示す図であり、（ａ）は表面図、（ｂ）は（ａ）に示したＡ−Ａ’断面図である。
【００７７】
本形態は図１１に示すように、図１に示したものに対して、アンテナ領域６２０ａ〜６２０ｃ，６２０ｅ及び補助領域６３０ａ，６３０ｂにそれぞれ形成されるアンテナ６２１ａ〜６２１ｃ，６２１ｅ，６３１ａ，６３１ｂの形状が異なるものである。
【００７８】
本形態におけるアンテナ６２１ａ〜６２１ｃ，６２１ｅ，６３１ａ，６３１ｂは、互いに同一の外形からなるものの、一辺から長手方向に入ったスリットの深さが互いに異なることにより、互いに異なる共振周波数を有している。このようにスリットの深さが互いに異なることにより、アンテナ６２１ａが７．０ＧＨｚの共振周波数を有し、アンテナ６２１ｂが８．０ＧＨｚの共振周波数を有し、アンテナ６２１ｃが９．０ＧＨｚの共振周波数を有し、アンテナ６２１ｅが１１．０ＧＨｚの共振周波数を有し、アンテナ６３１ａが６．０ＧＨｚの共振周波数を有し、アンテナ６３１ｂが１２．０ＧＨｚの共振周波数を有するものとなっている。
【００７９】
上記のように構成されたＩＤタグ６０１においても、図１に示したものと同様に、アンテナ領域６２０ａ〜６２０ｅ及び補助領域６３０ａ，６３０ｂにて検出された共振ピークの有無を共振周波数の昇順や降順に並べることで、ＩＤタグ６０１に付与されたＩＤを識別することができる。さらに本形態のＩＤタグ６０１においては、共振周波数が互いに異なるアンテナ６２１ａ〜６２１ｃ，６２１ｅ，６３１ａ，６３１ｂの外形が互いに同一であることにより、デザインの面で、アンテナが形成されるアンテナ領域６２０ａ〜６２０ｅ及び補助領域６３０ａ，６３０ｂ間のバランスが悪くなってしまうことが回避されることになる。
【００８０】
なお、上述した実施の形態においては、個別ＩＤとなる“１”や“０”を、共振周波数の昇順や降順に並べることによってＩＤを生成しているが、個別ＩＤを並べる順序は共振周波数の昇順や降順に限らない。共振周波数の大きさによる順序と、個別ＩＤを並べる順序とをデータベースにて対応づけておき、この対応づけに従って個別ＩＤを並べることでＩＤを生成してもよい。例えば、互いに異なる共振周波数が割り当てられた５つのアンテナ領域からなる識別体において、最も小さな共振周波数が割り当てられたアンテナ領域による個別ＩＤを３番目に配置し、２番目に小さな共振周波数が割り当てられたアンテナ領域による個別ＩＤを１番目に配置し、３番目に小さな共振周波数が割り当てられたアンテナ領域による個別ＩＤを５番目に配置し、４番目に小さな共振周波数が割り当てられたアンテナ領域による個別ＩＤを２番目に配置し、最も大きな共振周波数が割り当てられたアンテナ領域による個別ＩＤを４番目に配置するという対応づけをデータベースにて設定しておき、これら５つのアンテナ領域にて表現された個別ＩＤを、データベースに設定された所定順に並べることで、この識別体に付与されたＩＤを生成してもよい。ただしその場合、共振周波数がずれると、アンテナが形成されておらず共振ピークが検出されないアンテナ領域の個別ＩＤ“０”を認識することができなくなってしまう虞があるため、共振周波数の間隔をデータベースに登録しておくとともに、上述した基準アンテナによって、個別ＩＤとなる“１”と“０”とを判別すべき周波数を認識する必要がある。
【符号の説明】
【００８１】
１，１０１，２０１，３０１，４０１，５０１，６０１    ＩＤタグ
１０，１１０，２１０，３１０，４１０，５１０，６１０    ベース基材
２０ａ〜２０ｅ，１２０ａ〜１２０ｅ，２２０ａ〜２２０ｅ，３２０ａ〜３２０ｆ，４２０ａ〜４２０ｅ，５２０ａ〜５２０ｅ，６２０ａ〜６２０ｅ    アンテナ領域
２１ａ〜２１ｃ，２１ｅ，３１ａ，３１ｂ，１２１ａ〜１２１ｃ，１２１ｅ，１３１ａ，１３１ｂ，２２１ａ〜２２１ｃ，２２０ｅ，２３１ａ，２３１ｂ，３２１ａ〜３２１ｄ，３２１ｆ，３３１ａ，３３１ｂ，４２１ａ〜４２１ｅ，４３１ａ，４３１ｂ，５２１ａ〜５２１ｃ，５２１ｅ，５３１ａ，５３１ｂ，６２１ａ〜６２１ｃ，６２１ｅ，６３１ａ，６３１ｂ    アンテナ
３０ａ，３０ｂ，１３０ａ，１３０ｂ，２３０ａ，２３０ｂ，３３０ａ，３３０ｂ，４３０ａ，４３０ｂ，５３０ａ，５３０ｂ，６３０ａ，６３０ｂ    補助領域
４０，１４０    読取器
４１    送受信アンテナ
４２，１４２    電磁波放射部
４３，１４３    反射強度検知部
４４    ＩＤ生成部
１４１ａ    送信アンテナ
１４１ｂ    受信アンテナ
１４４    制御部
【図１】
0006717707.tif 000002
【図２】
0006717707.tif 000003
【図３】
0006717707.tif 000004
【図４】
0006717707.tif 000005
【図５】
0006717707.tif 000006
【図６】
0006717707.tif 000007
【図７】
0006717707.tif 000008
【図８】
0006717707.tif 000009
【図９】
0006717707.tif 000010
【図１０】
0006717707.tif 000011
【図１１】
0006717707.tif 000012